(57)【要約】【課題】  格子ブロックの部品数を削減でき、桟材の連結作業に手間がかからず、組み立て性及び外観性を向上させること。【解決手段】  一方の桟材２と該一方の桟材２と交差する他方の桟材１とを格子組みした格子ブロック３と、格子ブロック３に保持される複数枚のパネル４とを備えた格子パネル２０である。一方の桟材２をパネル４の表裏両側に配置される一対の分割桟材２Ａ，２Ｂに分割した。他方の桟材１を隣り合うパネル４間の隙間に配置し、他方の桟材１におけるパネル４との対向面１０に、パネル４の端部を嵌め込むためのパネル嵌め込み溝５を設けると共に、他方の桟材１における分割桟材２Ａ，２Ｂとの対向面１１に、分割桟材２Ａ，２Ｂの一部を嵌め込むための桟材嵌め込み部６を設けた。一対の分割桟材２Ａ，２Ｂを互いに連結する連結部材７を備える。【選択図】        図１
2005180049.tif 000002
【特許請求の範囲】
【請求項１】
一方の桟材と該一方の桟材と交差する他方の桟材とを格子組みした格子ブロックと、格子ブロックに保持される複数枚のパネルとを備えた格子パネルであって、上記一方の桟材をパネルの表裏両側に配置される一対の分割桟材に分割し、上記他方の桟材を隣り合うパネル間の隙間に配置し、他方の桟材におけるパネルとの対向面に、パネルの端部を嵌め込むためのパネル嵌め込み溝を設けると共に、他方の桟材における分割桟材との対向面に、分割桟材の一部を嵌め込むための桟材嵌め込み部を設け、上記一対の分割桟材を互いに連結する連結部材を備えることを特徴とする格子パネル。
【請求項２】
上記他方の桟材の長手方向の略全長に亘って貫通溝を設け、上記桟材嵌め込み部において露出する貫通溝内に連結部材を挿入したことを特徴とする請求項１記載の格子パネル。
【発明の詳細な説明】
【技術分野】
【０００１】
本発明は、格子パネルに関し、詳しくは引き戸やスライド式の間仕切りパネルに使用される格子パネルに関するものである。
【背景技術】
【０００２】
従来、引き戸などに用いられる格子パネルを作製するにあたって、パネルの片面のみに格子状の嵌入溝を設け、この嵌入溝に格子桟を嵌め込む込むことが知られている（例えば、特許文献１参照）。
【０００３】
しかしながら、上記特許文献１に示される従来例にあっては、片面にしか格子桟を取り付けることができない。
【０００４】
そこで、パネルの表裏両面に格子桟を取り付ける場合にあっては、表裏両側に格子桟を別々にネジ止めすることが一般に知られている。ところがこの場合、格子桟の取付け作業に手間と時間がかかり、組み立て性が低下するという問題がある。殊にネジの頭部が格子桟の表面に露出して外観が損なわれるという問題もある。
【特許文献１】実開昭５９−１２６０９１号公報
【発明の開示】
【発明が解決しようとする課題】
【０００５】
本発明は上記の従来の問題点に鑑みて発明したものであって、格子ブロックの部品数を削減でき、桟材の連結作業に手間がかからず、組み立て性及び外観性を向上させることができる格子パネルを提供することを課題とするものである。
【課題を解決するための手段】
【０００６】
上記課題を解決するために本発明に係る格子パネルにあっては、一方の桟材２と該一方の桟材２と交差する他方の桟材１とを格子組みした格子ブロック３と、格子ブロック３に保持される複数枚のパネル４とを備えた格子パネルであって、上記一方の桟材２をパネル４の表裏両側に配置される一対の分割桟材２Ａ，２Ｂに分割し、上記他方の桟材１を隣り合うパネル４間の隙間に配置し、他方の桟材１におけるパネル４との対向面１０に、パネル４の端部を嵌め込むためのパネル嵌め込み溝５を設けると共に、他方の桟材１における分割桟材２Ａ，２Ｂとの対向面１１に、分割桟材２Ａ，２Ｂの一部を嵌め込むための桟材嵌め込み部６を設け、上記一対の分割桟材２Ａ，２Ｂを互いに連結する連結部材７を備えることを特徴としている。
【０００７】
このような構成とすることで、パネル４の表裏両側に配置される一対の分割桟材２Ａ，２Ｂを一方の桟材１を挟んで互いに連結することができ、さらに一方の桟材２に対してパネル４と分割桟材２Ａ，２Ｂとをそれぞれ嵌め込むことができる。従って、従来のようにパネルの表裏両側に格子縦を別々に取り付ける場合と比較して、格子ブロック３の部品数を大幅に減らすことができる。しかも、共通の連結部材７を用いて一対の分割桟材２Ａ，２Ｂ同士を連結するので、格子ブロック３を格子組みするにあたって従来のようなネジ止めの必要がなくなり、作業の手間が省け、組み立て性及び外観性が向上する。
【０００８】
また上記他方の桟材１の長手方向Ｅの略全長に亘って貫通溝８を設け、上記桟材嵌め込み部６において露出する貫通溝８内に連結部材７を挿入するのが好ましく、この場合、連結部材７を他方の桟材１の中心位置に位置させることができ、縦分割桟材２Ａ，２Ｂ同士の連結のバランスがよくなる。従って、両分割桟材２Ａ，２Ｂを撓ませることなくパネル４の表裏両側に沿って配置でき、見栄えがよくなるうえに、組み立ても容易になる。そのうえ、貫通溝８は他方の桟材１の長手方向Ｅの略全長に亘って設けられているので、桟材嵌め込み部６をどの位置に切欠形成した場合でも、必ず桟材嵌め込み部６から貫通溝８が露出するようになり、他方の桟材１の加工がきわめて容易となる。
【発明の効果】
【０００９】
本発明は、パネルの表裏両側に配置される一対の分割桟材を、共通の連結部材を用いて互いに連結すると共に、一方の桟材に対してパネルと分割桟材とをそれぞれ嵌め込むことにより、従来と比較して格子ブロックの部品数を削減でき、桟材の連結作業に手間がかからず、組み立て性及び外観性が向上するものである。
【発明を実施するための最良の形態】
【００１０】
以下、本発明を添付図面に示す実施形態に基いて説明する。
【００１１】
図１（ａ）は本発明に係る格子ブロック３とパネル４の分解斜視図、図１（ｂ）は他方の桟材１の正面図であり、図２は上記格子パネル２０を用いたスライド式の間仕切りパネルの断面図であり、図３（ａ）、（ｂ）は正面図及び平面図である。
【００１２】
本実施形態の格子パネル２０は、図２、図３に示すように、格子組みした格子ブロック３と、格子ブロック３に保持される複数枚のパネル４と、格子ブロック３及びパネル４の周囲を囲む枠体９とで構成されている。本例の枠体９は、格子ブロック３の周囲を囲む上下の横框９ａと左右の縦框９ｂとがロ字状に一体に構成されている。なお、パネル４は例えばガラスで構成されている。図２中の２１は上レール、２２は間仕切りパネルの上ランナー、２３は床である。
【００１３】
上記格子ブロック３は、一方の桟材２と、一方の桟材２と交差する他方の桟材１とを格子組みしたものである。
【００１４】
ここにおいて、一方の桟材２はパネル４の表裏両側に配置される一対の分割桟材２Ａ，２Ｂに分割されている。また他方の桟材１は、上下に隣り合うパネル４間の隙間に沿って配置されている。以下において、一対の分割桟材２Ａ，２Ｂをそれぞれ「縦分割桟材２Ａ，２Ｂ」とし、他方の桟材１を「横桟材１」として説明する。
【００１５】
図２、図３に示す例では、上下５枚のパネル４相互間の隙間に短尺の横桟材１が各々配置されている。各パネル４の表裏両側に長尺の縦分割桟材２Ａ，２Ｂが各々配置されている。
【００１６】
上記横桟材１は、図１に示すように、方形パイプ型のアルミ型材で構成されており、横桟材１におけるパネル４との対向面１０には、パネル４の端部を嵌め込むためのパネル嵌め込み溝５が各々開設されている。また、横桟材１における縦分割桟材２Ａ，２Ｂとの対向面１１には、縦分割桟材２Ａ，２Ｂの一部を嵌め込むための桟材嵌め込み部６が各々切欠形成されている。本例では、パネル嵌め込み溝５は横桟材１の長手方向Ｅの全長に亘って形成されている。また桟材嵌め込み部６は、縦分割桟材２Ａ，２Ｂとの交差部分に各々切欠形成されている。この桟材嵌め込み部６は横桟材１に対して縦分割桟材２Ａ，２Ｂを上下方向、左右方向において嵌合状態を保持し、がたつかないようにする働きをする。
【００１７】
さらに、横桟材１の内側には、図１に示すように、横桟材１の長手方向Ｅの全長にわたって貫通溝８が形成されている。この貫通溝８は、図１（ｂ）のように上下両端間の溝幅Ｈ１が中央の溝幅Ｈ２より狭く絞られた断面形状をしている。上記桟材嵌め込み部６において、貫通溝８の一部が露出しており、この部位に後述の連結部材７が挿入可能とされている。
【００１８】
一対の縦分割桟材２Ａ，２Ｂは、パネル４をその表裏両側から挟み込むものである。本例では方形扁平パイプ型をしたアルミ型材で形成され、同じ形状をしている。つまり、縦分割桟材２Ａ（２Ｂも同様）の一側面がパネル当接面１３となっており、縦分割桟材２Ａはの内部には、縦分割桟材２Ａの長手方向と平行な一対の係止リブ１４が突設されている。縦分割桟材２Ａのパネル当接面１３にの一部には、横桟材１の桟材嵌め込み部６と対向する切欠部１５が設けられ、その切欠部１５から上記一対の係止リブ１４の一部が露出している。
【００１９】
上記縦分割桟材２Ａ，２Ｂの両端開口には、それぞれ、図６に示すハット型位置決め部材１２が嵌着されている。ハット型位置決め部材１２の片側には縦分割桟材２Ａ，２Ｂの両端開口に挿入される差し込み部１６が突設され、他側には枠体９の横框９ａに設けた凹所５０（図２）に挿入される突起部１７が突設されている。このハット型位置決め部材１２は、縦分割桟材２Ａ，２Ｂの上下両端部を枠体９の横框９ａに対して保持する働きをする。なお、突起部１７を凹所５０に挿入係止した状態で位置決め部材１２と横框９ａとの隙間を隠すための緩衝材を設けるようにしてもよい。
【００２０】
上記パネル４の表裏両側に配置される一対の縦分割桟材２Ａ，２Ｂは、連結部材７を用いて互いに連結される。本例の連結部材７は、図４に示すように、横桟材１の桟材嵌め込み部６から貫通溝８に向って挿入可能な平板状に形成されている。連結部材７は、金属、合成樹脂等の強度を保持できる材料であればよい。連結部材７の左右両サイドには左右一対の係止片１８が一体に設けられ、各係止片１８の上端に係止爪１８ａ、下端に係止爪１８ｂがそれぞれ突設されている。各係止爪１８ａ，１８ｂは、撓み可能とされると共に、図５に示すように、上側の係止爪１８ａが一方の縦分割桟材２Ａの係止リブ１４に係止可能とされ、下側の係止爪１８ｂが他方の縦分割桟材２Ｂの係止リブ１４に係止可能とされている。
【００２１】
次に、上記構成の格子パネル２０の組み立て手順の一例を説明する。先ず図１のように、一方の縦分割桟材２Ａを横向きにして切欠部１５を上向きにする。その上から横桟材１のパネル嵌め込み溝５を一方の縦分割桟材２Ａの切欠部１５に図１の矢印方向ａに向けて嵌め込む。その後、連結部材７を横桟材１の桟材嵌め込み部６から貫通溝８内に図１の矢印方向ｂに押し込むと、連結部材７の下側の係止爪１８ｂが一方の縦分割桟材２Ａの係止リブ１４に係止した状態となり、一方の縦分割桟材２Ａと横桟材１とが仮止め状態となる。その後、パネル４の端部を横桟材１のパネル嵌め込み溝５に図１の矢印方向ｃから嵌め込む。その後、横桟材１の上から他方の縦分割桟材２Ｂを図１の矢印方向ｄに嵌め込むと、連結部材７の上側の係止爪１８ｂが他方の縦分割桟材２Ｂの係止リブ１４に係止した状態となり、他方の縦分割桟材２Ｂと横桟材１とが仮止め状態となる。このようにパネル４を両側の縦分割桟材２Ａ，２Ｂ間に挟み込んだ後に、各縦分割桟材２Ａ，２Ｂの端部に図１の矢印方向ｅからハット型位置決め部材１２を各々取り付ける。これにより格子ブロック３が完成する。その後、格子ブロック３を垂直に立てて、枠体９の内側に組み込む。このとき図２に示すように、縦分割桟材２Ａ，２Ｂの上側に取り付けた位置決め部材１２の突起部１７を上側の横框９ａに設けた凹所５０に挿入係止させ、下側に取り付けた位置決め部材１２の突起部１７を下側の横框９ａに設けた凹所５０に挿入係止させることで、格子ブロック３を枠体９に対して位置決めする。最後に、図７に示すように、各横桟材１の左右の両端部を左右の縦框９ｂに対して、各々、ビス３０で固定することにより、図３に示す格子パネル２０が完成する。
【００２２】
しかして、パネル４の表裏両側に配置した一対の縦分割桟材２Ａ，２Ｂを横桟材１を挟んで互いに連結し、さらに横桟材１に対してパネル４と縦分割桟材２Ａ，２Ｂとをそれぞれ嵌め込んだので、従来のようにパネルの表裏両側に格子縦を別々に取り付ける場合と比較して、格子パネル３の部品数を大幅に減らすことができる。しかも、共通の連結部材７を用いて一対の縦分割桟材２Ａ，２Ｂ同士を連結するので、格子ブロック３を格子組みするにあたって、従来のようなネジ止めの必要がなくなり、作業の手間が省け、組み立てがきわめて容易になると共に、見栄えもよくなる。
【００２３】
また、パネル４の上下の両辺が横桟材１のパネル嵌め込み溝５にそれぞれ嵌め込まれており、パネル４の中央部の表裏両側が縦分割桟材２Ａ，２Ｂで前後から挟まれた状態となっているため、組み立て性に優れたものでありながら、桟材によるパネル４の取り付け強度を高めることができる。つまり、横桟材１と縦分割桟材２Ａ，２Ｂとはビスや溶接等で固定されるものではなく、互いに嵌め込まれているにすぎず、しかも縦分割桟材２Ａ，２Ｂ同士は連結部材７による係合であるため、その製造や在庫管理に手間がかかならないものである。さらに、連結部材７は上下に係止爪１８ａ，１８ｂを備えた平板状で、構造が簡単であるため、材料コストが低減できるという利点もある。
【００２４】
しかも、連結部材７が挿入される横桟材１の貫通溝８は、横桟材１の厚み方向Ｄの中心位置に位置しているので、連結部材７を横桟材１の中心に位置させることができる。従って、縦分割桟材２Ａ，２Ｂ同士の連結のバランスがよくなり、縦分割桟材２Ａ，２Ｂにがたつきが発生したり、ズレにくくなる。従って、両縦分割桟材２Ａ，２Ｂを撓ませることなくパネル４の表裏両側に沿って配置できるようになり、意匠性に優れ、しかも組み立てに便利な格子パネル２０を得ることができる。そのうえ、貫通溝８は横桟材１の長手方向Ｅの略全長に亘って設けられているので、桟材嵌め込み部６をどの位置に切欠形成した場合でも、必ず桟材嵌め込み部６から貫通溝８が露出するようになり、横桟材１の加工が容易となる。
【００２５】
また本例では、縦分割桟材２Ａ，２Ｂの内側に係止リブ１４を設け、連結部材７の係止爪１８ａ，１８ｂが両縦分割桟材２Ａ，２Ｂの内側で係止リブ１４に各々係止しているので、縦分割桟材２Ａ，２Ｂと連結部材７との係止部分及び連結部材７が外部から見えることがない。従って、縦分割桟材２Ａ，２Ｂと横桟材１とを見栄えよく連結できるようになり、格子ブロック３の外観性が一層向上するものである。
【００２６】
なお、前記実施形態では、横桟材１と縦分割桟材２Ａ，２Ｂとを直交方向に交差させた場合を例示したが、直交させる場合に限らず、斜め方向に交差させるものであってもよい。これにより、パネルが四角形以外に例えば、三角形の場合にも適用可能となる。
【００２７】
また、横桟材１の２つの対向面１０，１０に各々パネル嵌め込み溝５を設けた場合を説明したが、横桟材１の１つの対向面１０のみにパネル嵌め込み溝５を設けた構成であってもよい。この場合、横桟材１の片面のみにパネル４を配置する構造にも適用可能となる。
【００２８】
本発明に係る格子パネル２０は、引き戸やスライド式の間仕切りパネルに限らず、開閉扉や固定式の間仕切りパネルなどにも適用でき、さらに一般建築用の面格子、柵、門扉と称されているものや、化粧パネルと称されているものに広く適用可能である。
【図面の簡単な説明】
【００２９】
【図１】（ａ）は本発明に係る格子パネルを構成する格子ブロック及びパネルの分解斜視図、（ｂ）は横桟材の正面図である。
【図２】同上の格子パネルを間仕切りパネルとして使用する場合の断面図である。
【図３】（ａ）は同上の格子パネルの正面図、（ｂ）は概略平面図である。
【図４】同上の連結部材の斜視図である。
【図５】（ａ）は同上の連結部材により横桟材と縦分割桟材とを連結した部分の側面断面図、（ｂ）は正面断面図である。
【図６】（ａ）（ｂ）は同上のハット型の位置決め部材の斜視図である。
【図７】同上の横桟材と縦框をビス止めした状態の説明図である。
【符号の説明】
【００３０】
１  他方の桟材
２  一方の桟材
２Ａ，２Ｂ  分割桟材
３  格子ブロック
４  パネル
５  パネル嵌め込み溝
６  桟材嵌め込み部
７  連結部材
８  貫通溝
１０，１１  対向面
【図１】
2005180049.tif 000003
【図２】
2005180049.tif 000004
【図３】
2005180049.tif 000005
【図４】
2005180049.tif 000006
【図５】
2005180049.tif 000007
【図６】
2005180049.tif 000008
【図７】
2005180049.tif 000009